(57)【要約】【課題】  オイル燃焼促進方法の提供。【解決手段】  （一）発泡材料と遠赤外線放射金属酸化物原料を、所定の比例で混合調製後、発泡成形して発泡体を形成し、遠赤外線放射金属酸化物原料を含む発泡体で、オイルガス及び空気を供給する管体外層を被覆し、発泡体の具備する遠赤外線磁波機能により、周囲温度が上昇して発泡体が磁波効果を発生する時、これら管体を通過するオイルと空気分子の結合を微細化し、並びに新たに整然と配列させ、燃焼時にオイル燃焼を促進できるようにするステップ、（二）鉛片或いは鉛合金片で該発泡体の外縁を被覆し、該鉛片で該発泡体を固定するほか遮蔽、隔離の作用を達成して遠赤外線磁波のエネルギーの外向きの釈放を減らして導熱及び保温の効果を強化し、これにより発泡体の導熱時間を短縮して効率を高めるステップ、以上のステップを具えている。【選択図】        図２
2005351599.tif 000002
【特許請求の範囲】
【請求項１】
オイル燃焼促進方法において、
ステップ１：発泡材料と遠赤外線放射金属酸化物原料を、所定の比例で混合調製後、発泡成形して発泡体を形成し、遠赤外線放射金属酸化物原料の微細粉末を平均して発泡体の細孔表面に分散させ、遠赤外線放射金属酸化物原料の放射する磁波方向角度を全方位となす。
ステップ２：遠赤外線放射金属酸化物原料を含有する発泡体でオイルガスと空気を供給する管体外層を被覆する。
ステップ３：遠赤外線放射金属酸化物原料を含有する発泡体の遠赤外線磁波機能により、管体を通過するオイルと空気分子の結合を微細化し、並びに整然と再配列させ、燃焼時にオイル燃焼を促進する。
以上のステップを具えたことを特徴とする、オイル燃焼促進方法。
【請求項２】
オイル燃焼促進方法において、
ステップ１：発泡材料と遠赤外線放射金属酸化物原料を、所定の比例で混合調製後、発泡成形して発泡体を形成し、該発泡体でオイルガスと空気を供給する管体外層を被覆する。
ステップ２：鉛片或いは鉛合金片で該発泡体外層を被覆し、遠赤外線磁波のエネルギーの外向きの放出を遮蔽、隔離或いは減少する。
ステップ３：温度が上昇する時、該発泡体の発生する磁波効果により、管体内を通過するオイルと空気分子の結合を微細化し、並びに整然と再配列させ、オイルと空気分子の結合の表面積を増し、燃焼時にオイル燃焼を促進する。
以上のステップを具えたことを特徴とする、オイル燃焼促進方法。
【請求項３】
請求項１又は請求項２記載のオイル燃焼促進方法において、発泡材料はゴム或いは合成ゴムとし、遠赤外線放射金属酸化物原料と所定の比例で混合調製後に発泡成形して発泡体を形成することを特徴とする、オイル燃焼促進方法。
【発明の詳細な説明】
【技術分野】
【０００１】
本発明は一種のオイル燃焼促進方法に係り、特にエンジンへのオイル供給と空気供給の管路に応用されてオイル燃焼を促進する方法に関する。
【背景技術】
【０００２】
経験と実験により、エンジンの伝動燃焼時に、オイル燃焼が不完全であると、排気ガス中に排出される一酸化炭素ＣＯと炭化水素化合物（ＨＣ）の含有量が増し、空気汚染を形成すると共に、エンジンのオイル消耗、煤の堆積、及び馬力不足等の問題を引き起こすことが証明されている。
【０００３】
一般にガソリン燃焼不完全の原因はハードウエアであるエンジンの故障、空気フィルタの詰まり、スパークプラグの老朽化、オイルジェットノズルへの煤の堆積等の原因のほか、オイルガスの燃焼過程中にオイルガス分子構造が大きく、配列が乱れ、且つ空気分子との結合時の密着度の不良などの原因も、オイルガスの不完全燃焼を引き起こす。図１に示されるように、一般にガソリン分子が再配列されない時、その配列は高さの起伏があり、空気分子もまた類似の配列現象を呈する。このためガソリン分子と空気が結合する時、その接触の表面積が配列の乱れにより制限されて接触表面積が小さくなり、ゆえに燃焼時に完全燃焼不能となり、空気汚染、エンジンのガソリン消耗、煤堆積と馬力不足の問題を引き起こす。
【発明の開示】
【発明が解決しようとする課題】
【０００４】
本発明の主要な目的は、構造が簡単で、使用に便利で、被覆手段を利用してオイル燃焼を促進する方法を提供することにある。
【課題を解決するための手段】
【０００５】
請求項１の発明は、オイル燃焼促進方法において、
ステップ１：発泡材料と遠赤外線放射金属酸化物原料を、所定の比例で混合調製後、発泡成形して発泡体を形成し、遠赤外線放射金属酸化物原料の微細粉末を平均して発泡体の細孔表面に分散させ、遠赤外線放射金属酸化物原料の放射する磁波方向角度を全方位となす。
ステップ２：遠赤外線放射金属酸化物原料を含有する発泡体でオイルガスと空気を供給する管体外層を被覆する。
ステップ３：遠赤外線放射金属酸化物原料を含有する発泡体の遠赤外線磁波機能により、管体を通過するオイルと空気分子の結合を微細化し、並びに整然と再配列させ、燃焼時にオイル燃焼を促進する。
以上のステップを具えたことを特徴とする、オイル燃焼促進方法としている。
請求項２の発明は、オイル燃焼促進方法において、
ステップ１：発泡材料と遠赤外線放射金属酸化物原料を、所定の比例で混合調製後、発泡成形して発泡体を形成し、該発泡体でオイルガスと空気を供給する管体外層を被覆する。
ステップ２：鉛片或いは鉛合金片で該発泡体外層を被覆し、遠赤外線磁波のエネルギーの外向きの放出を遮蔽、隔離或いは減少する。
ステップ３：温度が上昇する時、該発泡体の発生する磁波効果により、管体内を通過するオイルと空気分子の結合を微細化し、並びに整然と再配列させ、オイルと空気分子の結合の表面積を増し、燃焼時にオイル燃焼を促進する。
以上のステップを具えたことを特徴とする、オイル燃焼促進方法としている。
請求項３の発明は、請求項１又は請求項２記載のオイル燃焼促進方法において、発泡材料はゴム或いは合成ゴムとし、遠赤外線放射金属酸化物原料と所定の比例で混合調製後に発泡成形して発泡体を形成することを特徴とする、オイル燃焼促進方法としている。
【発明の効果】
【０００６】
本発明の特徴は、発泡層内に細孔があり、遠赤外線エネルギー波を相乗増幅させること、及び、鉛片でゴム発泡体の外層を被覆し、遠赤外線磁波のエネルギーの外向きの放出を遮断、隔離及び減少することにある。
【０００７】
特に、本発明は遠赤外線放射金属酸化物原料の被覆性物体でオイルパイプ、エアパイプの外縁を被覆し、オイル燃焼を促進し、オイルを節約し、排ガス排出減少の目的を達成する。
【発明を実施するための最良の形態】
【０００８】
本発明によると、オイル燃焼促進方法は、（一）発泡材料と遠赤外線放射金属酸化物原料を、所定の比例で混合調製後、発泡成形して発泡体を形成し、遠赤外線放射金属酸化物原料を含む発泡体で、オイルガス及び空気を供給する管体外層を被覆し、発泡体の具備する遠赤外線磁波機能により、周囲温度が上昇して発泡体が磁波効果を発生する時、これら管体を通過するオイルと空気分子の結合を微細化し、並びに新たに整然と配列させ、燃焼時にオイル燃焼を促進できるようにするステップ、（二）鉛片或いは鉛合金片で該発泡体の外縁を被覆し、該鉛片で該発泡体を固定するほか遮蔽、隔離の作用を達成して遠赤外線磁波のエネルギーの外向きの釈放を減らして導熱及び保温の効果を強化し、これにより発泡体の導熱時間を短縮して効率を高めるステップ、以上のステップを具えている。
【０００９】
本発明の方法が発泡成形を採用している原因は、遠赤外線放射金属酸化物原料を調製後、研磨して細小粉末となし、これら細小粉末はその他の物質と混合成形する過程に、多少の凝集現象を有することにある。このため発泡原理を利用して微粒粉末を分散させ、これら微粒粉末を平均して発泡後の細孔表面中に分布させる。これら細孔の現出する空間により、遠赤外線磁波が更に活躍し、細孔の分布により磁波放射の方向角度が全方位に平均して散乱する。
【実施例１】
【００１０】
図２から図６に示されるように、本発明のオイル燃焼促進方法は、ゴム（或いは合成ゴム）発泡体１０と少なくとも一つの鉛片（或いは鉛合金片）２０を具え、該発泡体１０は自動車のオイルレール（オイルジェットシリンダ）３０、オイルパイプ３１、入気管３２、及び入気ベンチュリー管３３等の管体外縁を被覆し、該鉛片（或いは鉛合金片）２０は発泡体１０の外層を被覆する。
【００１１】
該ゴム（或いは合成ゴム）発泡体１０は片体或いは円筒状に形成され、ゴム（或いは合成ゴム）と遠赤外線放射金属酸化物原料を混合し発泡成形してなり、発泡体１０は温度上昇時に遠赤外線の磁波機能を有する。該発泡体１０が円筒状とされる時は、非封閉の破断構造とされ、遠赤外線の放射性の磁波機能により、これら管体を通過するオイル或いは空気分子の結合を細微化し並びに新たに整然と配列させ、これにより結合時の表面積を増して燃焼時のオイル燃焼を促進する。
【００１２】
上述の鉛片（或いは鉛合金片）２０は折り曲げ可能な金属塑性を具え、導熱可能で、吸熱が速く、一片或いは複数片が竹節状に接続されて折れ曲がったゴム（或いは合成ゴム）発泡体１０の外層を被覆することができ、更に遮蔽、隔離、及び遠赤外線の外向きの拡散のエネルギーを減らし、そのエネルギーを発泡体１０内部に集中させ、並びに導熱を高め保温機能を高める。
【００１３】
以上の部品により、ゴム（或いは合成ゴム）発泡体１０がオイルレール（オイルジェットシリンダ）３０、オイルパイプ３１、入気管３２、及び入気ベンチュリー管３３等の管体外縁を被覆する時、これら管体内を通過するガソリン或いは空気分子の分子構造の整然とした再配列を促進し並びに細微化する（図７参照）。その公式は以下のとおりである。
（ＣｘＨｙ）→  ｈｖ  →  （ＣｘＨｙ）ｍ，  ｍ＜＜ｎ
Ｏ2       →  ｈｖ  →  ２０
（ＣｘＨｙ）ｎ→  ｈｖ  →  ＣＯ2 ＋Ｈ2 Ｏ，  Ｋ１
（ＣｘＨｙ）ｍ→  ｈｖ  →  ＣＯ2 ＋Ｈ2 Ｏ，  Ｋ２＞＞Ｋ１
（ＣｘＨｙ）ｎ＋Ｏ  →  ｈｖ  →  ＣＯ2 ＋Ｈ2 Ｏ，  Ｋ３＞＞Ｋ１
【００１４】
ガソリン分子はもともと大きさが同じでなく、不規則に直列に接続され凝集しているが、ゴム（或いは合成ゴム）発泡体１０の遠赤外線磁波作用を受けると、規則的配列の細小分子に変成し、その市立的な配列は図８に示されるとおりである。ゆえに空気分子と燃焼室で結合し燃焼する時、その両者の接触結合の表面積が増し、ガソリンオイルの完全燃焼が促進されて完全燃焼の比率が増し、エンジンのガソリン節約、馬力増加、煤堆積の減少、及び排ガス減少の機能を達成できる。
【００１５】
本発明はゴム（或いは合成ゴム）発泡成形を利用し、発泡後の比重をもとの比重の０．７程度とするのに必要な細孔１１は、いわゆる空隙相と称され、空隙相を有することにより磁波放射の方向角度が全方位に平均し分散する。
【００１６】
更に、遠赤外線磁波の放出は、温度が摂氏５０度の時に極めて良好な放出が行なわれる。図９に示されるように、本発明は発泡体１０で自動車エンジン室内のオイルレール（オイルジェットシリンダ）３０、オイルパイプ３１、入気管３２、及び入気ベンチュリー管３３等の管体外縁を被覆し、これにより、自動車の走行過程で、エンジン４１の発生する高熱が、鉛片（或いは鉛合金片）２０の吸熱を介してゴム（或いは合成ゴム）発泡体１０に伝えられ、これにより本発明のゴム（或いは合成ゴム）発泡体１０の遠赤外線の磁波が効果的に放出され、オイルの燃焼が促進される。このほかゴム自身の有する耐熱作用により、発泡後に更に保温と内層を恒温に保持する機能を有し、これにより、遠赤外線原料と調製、成形後に、遠赤外線磁波エネルギーの釈放を助ける。且つゴム（或いは合成ゴム）発泡体１０の外縁が鉛片（或いは鉛合金片）２０で被覆され、該鉛片（或いは鉛合金片）２０がダブル機能を具え、即ちその一つは磁波の外漏れの遮断と防止作用であり、もう一つは導熱加速である。即ち鉛片（或いは鉛合金片）２０が遠赤外線磁波の外向きの釈放ノエネルギーを減少し、更に遠赤外線磁波機能を十分に釈放させる。例えば、８ｍｍ厚さの発泡体１０の外縁面を鉛片２０と接触させることで、エンジン温度を急速に吸収し磁波エネルギーを放出させることができる。但し内縁部分は発泡体１０により保温と温度の急激な上昇を抑えて、内層を最良の釈放温度に恒温保持することができ、これにより発泡体１０の磁波エネルギーを発生可能な期間を増すことができる。
【００１７】
総合すると、本発明の特徴は、発泡層内に細孔があり、遠赤外線エネルギー波を相乗増幅させること、及び、鉛片でゴム発泡体の外層を被覆し、遠赤外線磁波のエネルギーの外向きの放出を遮断、隔離及び減少することにある。
【００１８】
特に、本発明は遠赤外線放射金属酸化物原料の被覆性物体でオイルパイプ、エアパイプの外縁を被覆し、これにより遠赤外線放射金属酸化物原料の被覆性の被覆物はいずれも本発明の応用範疇に属する。当然、被覆物外層に鉛片（或いは鉛合金片）を加えたものも本発明の応用に属する。本発明の製品は確実に予期された効果を達成し、オイルを節約し、排ガス排出減少の目的を達成する。
【図面の簡単な説明】
【００１９】
【図１】未再配列のガソリン分子構造図である。
【図２】本発明の結合の外観図である。
【図３】本発明の立体分解図である。
【図４】本発明の別の立体分解図である。
【図５】本発明の別の外観図である。
【図６】本発明の組合せ断面図である。
【図７】本発明のガソリン分子の再配列の分子構造図である。
【図８】本発明のガソリン分子の再配列の過程図である。
【図９】本発明の応用実施例図である。
【符号の説明】
【００２０】
１０  発泡体
１１  細孔
２０  鉛片（或いは鉛合金片）
３０  オイルレール（オイルジェットシリンダ）
３１  オイルパイプ
３２  入気管
３３  入気ベンチュリー管
４１  エンジン
【図１】
2005351599.tif 000003
【図２】
2005351599.tif 000004
【図３】
2005351599.tif 000005
【図４】
2005351599.tif 000006
【図５】
2005351599.tif 000007
【図６】
2005351599.tif 000008
【図７】
2005351599.tif 000009
【図８】
2005351599.tif 000010
【図９】
2005351599.tif 000011